(57)【要約】  本発明は、内径が調節可能な宝飾品（１）であって、指輪の部分の形態をした第１および第２部分（２、４）であり、それぞれ第１および第２端部（１０、１２、１４、１６）を有する第１および第２部分を含み、第１および第２部分が、揺動式の連結部（６、８）によって互いに連結される宝飾品に関する。各部分（２、４）は、可変深さの噛み合いによって、内径が調節可能な閉じた指輪を形成するように他方の部分の第１端部（１０、１１２）と協働するように構成された第１端部（１０、１２）を有する。ばね部材は、宝飾品の内径を小さくしようとして第１および第２部分の第１端部を互いに噛み合わせるように両方の部分に作用する。連結部は、第１部分の第２端部（１４）から隔てられ、第１部分は、連結部と第２端部の間に配置された重複部分を有し、重複部分は、第２部分の内側部分よりも大きな半径を有し、内側部分に重なるように内側部分に面して配置される。【選択図】図３
2015509413.tif 000002
【特許請求の範囲】
【請求項１】
特に指輪であるところの、略環状の形状を有する宝飾品（１）であって、第１の部分および第２の部分（２、４）であって、該第１の部分および該第２の部分（２、４）の外形が、実質的に指輪の部分であるそれぞれの形状を有し、それぞれの第１の端部および第２の端部（１０、１２、１４、１６）を有する第１の部分および第２の部分（２、４）を含み、前記第１の部分および前記第２の部分が、揺動式の連結部（６、８）によって互いに連結されており、前記部分（２、４）のそれぞれが、可変深さの噛み合いによって、内径が調節可能な閉じた指輪を形成するように他方の部分の第１の端部（１０、１２）と協働するように構成された、自身の端部のうちの第１の端部（１０、１２）を有し、少なくとも１つのばね部材が、前記内径を小さくしようとして前記部分の前記第１の端部（１０、１２）を互いに噛み合わせるように両方の前記部分に作用するよう構成されている宝飾品（１）において、
前記揺動式の連結部（６、８）が、前記第１の部分（２）の前記第２の端部（１４）からある距離にあり、前記第１の部分（２）が、前記揺動式の連結部（６、８）と前記第２の端部（１４）との間に配置された重複部分を有し、該重複部分が、前記第２の部分（４）の内側部分よりも大きな半径を有し、少なくとも部分的に前記内側部分に重なるように前記内側部分に面して配置されていることを特徴とする宝飾品（１）。
【請求項２】
前記ばね部材が、一方で前記第１の部分（２）の前記重複部分に作用し、他方で前記第２の部分（４）の前記内側部分に作用するように構成されていることを特徴とする、請求項１に記載の宝飾品（１）。
【請求項３】
前記第１の部分および前記第２の部分（２、４）の一方が、ハウジング（２４）を有し、該ハウジング（２４）内には、ばね部材が配置され、前記第１の部分および前記第２の部分（２、４）の他方が、前記ばね部材に当接する自由端を前記ハウジング内に有するフィンガ（２２）を有することを特徴とする、請求項１または２に記載の宝飾品（１）。
【請求項４】
前記第１の部分（２）が、少なくとも部分的に前記重複部分上に延在する装飾的要素を含むことを特徴とする、請求項１〜３のいずれか一項に記載の宝飾品（１）。
【請求項５】
前記第１の部分および前記第２の部分（２、４）の一方の第１の端部（１０、１２）が、前記第１の部分および前記第２の部分（２、４）の他方の前記第１の端部（１０、１２）の凹部と協働するように構成された舌部であって、前記凹部内に差し入れることができる舌部を含むことを特徴とする、請求項１〜４のいずれか一項に記載の宝飾品（１）。
【請求項６】
少なくとも前記第１の部分（２）が、装飾的要素のための場所（１８）を形成するために前記第１の部分（２）の前記第２の端部（１４）の領域に前記第１の部分（２）の前記第１の端部（１０）よりも大きな幅を有することを特徴とする、請求項５に記載の宝飾品（１）。
【発明の詳細な説明】
【技術分野】
【０００１】
[0001]本発明は、略環状の形状を有する宝飾品（特に、指輪）であって、第１の部分および第２の部分であって、第１の部分および第２の部分の外形が、実質的に指輪の部分であるそれぞれの形状を有し、それぞれの第１の端部および第２の端部を有する第１の部分および第２の部分を含む宝飾品に関する。第１の部分および第２の部分は、揺動式の連結部によって互いに連結されており、これらの部分のそれぞれは、可変深さの噛み合いによって、内径が調節可能な閉じた指輪を形成するように他方の部分の第１の端部と協働するように構成された、自身の端部のうちの第１の端部を有する。さらに、少なくとも１つのばね部材は、宝飾品の内径を小さくしようとして第１の部分および第２の部分の第１の端部を互いに噛み合わせるように両方の部分に作用するよう構成されている。
【０００２】
[0002]また、本発明は、上記の特徴を有する腕輪の生産に関する。
【背景技術】
【０００３】
[0003]この種の宝飾品は、過去に既に、例えば加国特許出願公開第２３９３９９２号明細書に記載されている。この出願は、揺動式の連結部によって第１の端部で互いに組み立てられる２つの部分を含む指輪について記載している。これらの第２の端部は、噛み合うように協働し、指輪の直径の調節後に一定の位置でこれらを保持するための相補的な戻り止めを有する。
【０００４】
[0004]しかしながら、美的観点から、記載されている構造には、指輪の２つの部分の２つの端部の間に設けられた２つの連結部を隠すことができないという欠点があることに注意すべきである。
【０００５】
[0005]さらに、調節状態を固定する方法は、あまり実用的ではないと分かる場合があり、試行錯誤を必要とする場合もある。さらに、使用できる調節位置の数が限られているため、指輪の装着者の指の直径が、構造によって予め規定されたこれらの位置の１つに正確には一致しない場合がある。
【０００６】
[0006]韓国特許第１００８０３５１８号明細書は、上記した特徴を有する指輪であって、２つの側方部分が、第１の端部で互いに揺動され、装飾的要素を有する中央の第３の部分にそれぞれの第２の端部で支えられるように構成された指輪について記載している。しかしながら、これらの様々な部分の噛み合い深さが、見えてしまい、指輪の美的外観に無視できない影響を与え得る一方で、側方部分を互いに連結する揺動式の連結部も同様に見えてしまう。
【発明の概要】
【発明が解決しようとする課題】
【０００７】
[0007]本発明の主な目的は、広範囲の製品のうちの高級品の要求に適した美しさおよび快適な使用の両方を提供するこの種の宝飾品を提案することによって周知の従来技術の調節可能な宝飾品の欠点を軽減すること、特に、その内径の調節容易にすることである。
【課題を解決するための手段】
【０００８】
[0008]この目的のために、本発明は、より具体的には、上記した種類の宝飾品であって、揺動式の連結部が、第１の部分の第２の端部からある距離にあり、第１の部分が、揺動式の連結部と第２の端部との間に配置された重複部分を有し、該重複部分が、第２の部分の内側部分よりも大きな半径を有し、少なくとも部分的に第２の部分に重なるように内側部分に面して配置されていることを特徴とする宝飾品に関する。
【０００９】
[0009]これらの特徴のおかげで、本発明に係るモジュール式の宝飾品は、第一に無際限の調節位置を有し、宝飾品の内径の調節は、宝飾品が、指輪の場合は指に配置されたときに動的に実行される。実際、２つの部分が静止したときの位置は、ばね部材の作用に起因して、指輪がとり得る最小直径に対応しており、指輪が、この最小直径よりも大きな直径の指に嵌められるとき、指が指輪の２つの部分に加える力が、ばね部材によって加えられている力に対抗して、指輪の内径を大きくし、これにより、指輪の内径は、指の直径よりもわずかに大きくなる。
【００１０】
[0010]さらに、その内径に応じた、本発明に係る宝飾品の外観の変化は、特に揺動連結部が隠れているため、実際には気づかないほどである。
【００１１】
[0011]ばね部材は、一方で第１の部分の重複部分に作用し、他方で第２の部分の内側部分に作用するように構成されることが好ましくかつ好適である。
【００１２】
[0012]好ましい実施形態によれば、第１の部分および第２の部分の一方は、ばね部材が配置される凹部を有し、第１の部分および第２の部分の他方は、ばね部材に当接する自由端をハウジング内に有するフィンガを有する。
【００１３】
[0013]これらの特徴のおかげで、本発明に係る宝飾品の好適な機能は、該宝飾品が、完成品の美的外観に悪影響を及ぼすことなく使用され得る。
【００１４】
[0014]特に、第１の部分は、少なくとも部分的に重複部分上に延在する装飾的要素を含んでもよい。
【００１５】
[0015]相補的な仕方で、少なくとも第１の部分が、装飾的要素のための場所を形成するために第１の部分の第２の端部の領域に第１の部分の第１の端部よりも大きな幅を有することも可能である。
【００１６】
[0016]さらに、第１の部分および第２の部分の一方の第１の端部は、第１の部分および第２の部分の他方の第１の端部の凹部と協働するように構成された舌部であって、該凹部内に差し入れることができる舌部を含んでもよい。
【００１７】
[0017]本発明の好ましい実施形態は、上記した特徴を有する指輪の生産にある。あるいは、本発明はまた、言及したばかりの特徴を有する腕輪の生産に関する。
【００１８】
[0018]本発明の他の特徴および利点は、添付図面を参照しながら非限定的な例として挙げられる好ましい実施形態に関する以下の詳細な説明を読むことによってより明確に明らかとなる。
【図面の簡単な説明】
【００１９】
【図１】第１の角度から見た、本発明の好ましい一実施形態に係る指輪の略斜視図を示している。
【図２】第２の角度から見た、図１の指輪の略斜視図を示している。
【図３】図１の指輪の略断面図を示している。
【発明を実施するための形態】
【００２０】
[0022]図１および図２は、第１の角度および第２の角度から見た、本発明の好ましい一実施形態に係る、内径が調節可能な指輪１の略斜視図を示しており、特定の構造上の詳細の理解を可能にしている。図３は、同じ指輪１の断面を示しており、指輪１の特定の詳細の理解を可能にしている。
【００２１】
[0023]指輪１は、２つの主要な部分２および４を備え、２つの主要な部分２および４の外形は、実質的に、互いに対向するそれぞれの指輪の部分の形をしている。
【００２２】
[0024]第１の部分および第２の部分は、これらの間に揺動式の機械的連結部を有する。揺動式の機械的連結部は、ここでは、第２の部分４が有する２つの揺動軸６と第１の部分２の適切な軸受８との協働によって形成されている。
【００２３】
[0025]言うまでもなく、揺動連結の使用は、例示であり、本発明を限定するものではない。当業者は、代替的な技術的解決策を実施する（例えば、揺動軸と軸受の位置を入れ替えることによって、または１本のロッドであって、その端部のそれぞれが軸受の１つに収容される１本のロッドを使用することによって）際に特別な困難に直面しないであろう。
【００２４】
[0026]揺動軸および軸受は、それぞれの理解を容易にするために図面に示されているが、軸受は、好適には、指輪の外側から見えないようにして、指輪の美的外観を改善するために第１の部分２の壁を貫通しなくてもよいことも注目に値する。
【００２５】
[0027]さらに、部分２、４のそれぞれは、第１の端部および第２の端部１０、１２、１４、および１６を有する。
【００２６】
[0028]第１の端部１０、１２は、実質的に相補的なそれぞれの形状を有し、これにより、第１の端部１０、１２は、第１の部分および第２の部分が、内径が調節可能な閉じた指輪を形成するために互いに揺動するときに可変の深さで少なくとも部分的に噛み合うことによって互いに協働することができるようになっている。
【００２７】
[0029]より正確には、ここでは、端部１０、１２のそれぞれは、非限定的な例として、他方の端部にある実質的に相補的な形状の舌部と協働することを意図したその厚さ方向の凹部および他方の端部にある相補的な凹部と協働することを意図した舌部を有する。
【００２８】
[0030]ここでは、第１の部分および第２の部分は、非限定的な実例として特定の形状を有する。より正確には、第１の部分および第２の部分の幅は、それぞれの第１の端部１０、１２からそれぞれの第２の端部１４、１６にかけて大きくなっている。さらに、第１の部分の幅は、第１の部分内に装飾的要素（図３の参照符号１９）（例えば、宝石）を収容するために場所１８（ここでは、凹部の形態をしている）が第１の部分に形成され得るようなものになっている。
【００２９】
[0031]第２の部分４の第２の端部１６は、２つのアーム２０を備え、２つのアーム２０は、第１の部分２の方向に延在しており、２つのアーム２０のそれぞれは、揺動軸６の１つを有する。
【００３０】
[0032]揺動連結部が、第１の部分の第２の端部１４からある距離にあることは、図面から明らかである。実際、第１の部分の第２の端部１４は、重複部分を含むように、すなわち、第２の部分４の内側部分に重なるように第２の部分４の第２の端部１６を越えて延在している。
【００３１】
[0033]また、第２の部分４の第２の端部１６は、第１の部分２に固定されたハウジング（ここでは、円筒管２４の形態をとっている）内に係合されたフィンガ２２をさらに含む。
【００３２】
[0034]ばね部材（図３に見られる）、例えば、コイルばね２６は、管２４の中から外へフィンガ２２を押圧することを目的としてフィンガ２２に力を加えるために管２４の底に配置されている。したがって、ばね部材は、第１の部分および第２の部分の第１の端部１０、１２を互いに向かって移動させようとして（すなわち、第１の部分および第２の部分の噛み合い深さを大きくしようとする仕方で）第１の部分および第２の部分に相対力を加えている。言い換えれば、ばね部材は、常に指輪１の内径を小さくしようとしており、このため、指輪１の内径は、指輪が身に着けられていないときに最小直径になるようになっている。
【００３３】
[0035]本発明に係る指輪の特定の構造のおかげで、指輪であって、その内径が、指輪の装着者が特に何もする必要もなく自動的かつ即座に指輪の装着者の指の直径となる指輪が得られる。さらに、この内径は、このようにして、指輪が配置された指の直径に正確に適合する。これは、直径の変化が、上述した従来技術の指輪の内径と対照的に連続的なためである。
【００３４】
[0036]フィンガ２２および管２４に関して示した構造は、第１の部分および第２の部分 ２、４が互いに離れる方向に移動されるとき（すなわち、指輪１の内径が大きくなるとき）にアバットメント（ａｂｕｔｍｅｎｔ）を形成することをさらに可能にしており、これにより、指輪の意図しない分解の防止が可能になっていることに留意すべきである。
【００３５】
[0037]言うまでもなく、本発明の範囲から逸脱することなく、フィンガおよび円筒管２４の各位置を入れ替えることが可能である。
【００３６】
[0038]同様に、第１の端部１０、１２は、指輪の内径のより低い値に関連してアバットメントを形成する。
【００３７】
[0039]前述の説明は、非限定的な実例として特定の一実施形態を説明することを意図したものであり、本発明は、説明したばかりのある特定の特徴（例えば、指輪の主要な部分、指輪の主要な部分の端部、またはばね部材の位置に関して具体的に示され、説明された形状）の使用に限定されない。実際、ばね部材は、揺動式の連結部と第１の部分２の第２の端部１４との間の任意の適切な位置に取り付けられてもよい。
【００３８】
[0040]しかしながら、第１の部分および第２の部分に関して示した形状は、揺動連結部およびばね部材の組込みを可能にする様々な部材を容易に隠すことを可能にするという利点を提供することは注目に値する。
【００３９】
[0041]当業者は、本発明の範囲から逸脱することなく、本開示の内容を自分自身の要求に適合させる際に、およびここで説明した特徴の一部のみを有する、内径が調節可能な宝飾品を生産する際に特別な困難に直面しないであろう。言うまでもなく、本発明は、指輪に限定されるものではなく、本発明に適合する任意の他の形態の宝飾品（例えば、腕輪）に使用することができる。
【図１】
2015509413.tif 000003
【図２】
2015509413.tif 000004
【図３】
2015509413.tif 000005
【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
特に指輪であるところの、略環状の形状を有する宝飾品（１）であって、第１の部分および第２の部分（２、４）であって、該第１の部分および該第２の部分（２、４）の外形が、実質的に指輪の部分であるそれぞれの形状を有し、それぞれの第１の端部および第２の端部（１０、１２、１４、１６）を有する第１の部分および第２の部分（２、４）を含み、前記第１の部分および前記第２の部分が、揺動式の連結部（６、８）によって互いに連結されており、前記部分（２、４）のそれぞれが、可変深さの噛み合いによって、内径が調節可能な閉じた指輪を形成するように他方の部分の第１の端部（１０、１２）と協働するように構成された、自身の端部のうちの第１の端部（１０、１２）を有し、少なくとも１つのばね部材が、前記内径を小さくしようとして前記部分の前記第１の端部（１０、１２）を互いに噛み合わせるように両方の前記部分に作用するよう構成されている宝飾品（１）において、
前記揺動式の連結部（６、８）が、前記第１の部分（２）の前記第２の端部（１４）からある距離にあり、前記第１の部分（２）が、前記揺動式の連結部（６、８）と前記第２の端部（１４）との間に配置された重複部分を有し、該重複部分が、前記第２の部分（４）の内側部分よりも大きな半径を有し、少なくとも部分的に前記内側部分に重なるように前記内側部分に面して配置されていることを特徴とする宝飾品（１）。
【請求項２】
前記ばね部材が、一方で前記第１の部分（２）の前記重複部分に作用し、他方で前記第２の部分（４）の前記内側部分に作用するように構成されていることを特徴とする、請求項１に記載の宝飾品（１）。
【請求項３】
前記第１の部分および前記第２の部分（２、４）の一方が、ハウジング（２４）を有し、該ハウジング（２４）内には、前記ばね部材が配置され、前記第１の部分および前記第２の部分（２、４）の他方が、前記ばね部材に当接する自由端を前記ハウジング内に有するフィンガ（２２）を有することを特徴とする、請求項１に記載の宝飾品（１）。
【請求項４】
前記第１の部分（２）が、少なくとも部分的に前記重複部分上に延在する装飾的要素を含むことを特徴とする、請求項１に記載の宝飾品（１）。
【請求項５】
前記第１の部分および前記第２の部分（２、４）の一方の第１の端部（１０、１２）が、前記第１の部分および前記第２の部分（２、４）の他方の前記第１の端部（１０、１２）の凹部と協働するように構成された舌部であって、前記凹部内に差し入れることができる舌部を含むことを特徴とする、請求項１に記載の宝飾品（１）。
【請求項６】
前記第１の部分（２）が、装飾的要素のための場所（１８）を形成するために前記第１の部分（２）の前記第２の端部（１４）の領域に前記第１の部分（２）の前記第１の端部（１０）よりも大きな幅を有することを特徴とする、請求項１に記載の宝飾品（１）。
【国際調査報告】
2015509413.tif 000006
2015509413.tif 000007
2015509413.tif 000008
2015509413.tif 000009